(57)【特許請求の範囲】
【請求項１】
被検体に対するＰＥＴ撮影あるいはＳＰＥＣＴ撮影によってボリュームデータを収集する医用画像診断装置において、
前記ボリュームデータに基づいて生成されたＳＵＶデータに基づいて、前記被検体における複数の関心領域におけるＳＵＶ値の比率を示す１つのＳＵＶグラフを作成するＳＵＶグラフ作成手段と、
前記ＳＵＶグラフを表示する表示手段と、
を備えたことを特徴とする医用画像診断装置。
【請求項２】
前記被検体に投与された放射性同位元素の投与量に基づいて前記ボリュームデータのボクセル値を前記ＳＵＶ値へ変換処理することにより前記ＳＵＶデータを生成するＳＵＶデータ生成手段と、
前記ボリュームデータに基づいて生成されたＳＵＶデータを用いて関心領域を設定する関心領域設定手段と、
を更に備え、
前記関心領域設定手段は、前記ＳＵＶ値と所定の閾値とを比較することにより前記被検体の疾患領域あるいは疾患が疑われる領域を示す前記関心領域を設定することを特徴とする請求項１記載の医用画像診断装置。
【請求項３】
前記ＳＵＶグラフ作成手段は、前記関心領域に囲まれた前記ＳＵＶデータのＳＵＶ値を累積加算することによって得られた関心領域毎の累積ＳＵＶ比率に基づいて前記ＳＵＶグラフを作成することを特徴とする請求項１記載の医用画像診断装置。
【請求項４】
累積加算処理手段と、
前記ボリュームデータに基づいて生成されたＳＵＶデータを用いて関心領域を設定する関心領域設定手段と、
を更に備え、
前記累積加算処理手段は、前記ＳＵＶデータに対し前記関心領域設定手段が設定した１つあるいは複数からなる関心領域の各々に含まれているＳＵＶデータのＳＵＶ値を累積加算することにより累積ＳＵＶ値を算出し、前記関心領域の各々における前記累積ＳＵＶ値を加算処理して得られた総ＳＵＶ値で前記累積ＳＵＶ値を除することにより前記累積ＳＵＶ比率を算出することを特徴とする請求項３記載の医用画像診断装置。
【請求項５】
前記ＳＵＶデータに基づいて画像データを生成する画像データ生成手段を更に備え、
前記表示手段は、少なくとも前記画像データ生成手段によって生成され前記関心領域の領域情報が付加された前記被検体の広範囲なＭＩＰ画像データと前記ＳＵＶグラフとが示された第１の表示データを並べて表示することを特徴とする請求項１記載の医用画像診断装置。
【請求項６】
データ合成手段を更に備え、前記データ合成手段は、前記広範囲なＭＩＰ画像データと前記ＳＵＶグラフとを合成することにより前記第１の表示データを生成することを特徴とする請求項５記載の医用画像診断装置。
【請求項７】
各種のＳＵＶグラフを参照ＳＵＶグラフとして保管する参照ＳＵＶグラフ保管手段を更に備え、
前記データ合成手段は、前記ＭＩＰ画像データ及び前記ＳＵＶグラフに前記参照ＳＵＶグラフを付加することにより前記第１の表示データを生成することを特徴とする請求項６記載の医用画像診断装置。
【請求項８】
前記表示手段は、前記広範囲なＭＩＰ画像データに示された前記関心領域とこの関心領域に対応した前記ＳＵＶグラフのグラフ領域を、共通の色調あるいは輝度によって表示することを特徴とする請求項５記載の医用画像診断装置。
【請求項９】
前記表示手段によって表示された前記第１の表示データのＳＵＶグラフに基づいて前記広範囲なＭＩＰ画像データに示されている複数の関心領域の中から所望の関心領域を選択する関心領域選択手段を更に備え、
前記表示手段は、少なくとも、選択された前記関心領域を中心として前記画像データ生成手段が生成した狭範囲な拡大ＭＩＰ画像データを有する第２の表示データを表示することを特徴とする請求項５記載の医用画像診断装置。
【請求項１０】
データ合成手段を更に備え、
前記データ合成手段は、前記拡大ＭＩＰ画像データあるいはこの拡大ＭＩＰ画像データと前記広範囲なＭＩＰ画像データ、前記ＳＵＶグラフ及び前記ＳＵＶデータに基づいて前記画像データ生成手段が生成した前記関心領域におけるＭＰＲ（multi planar reconstruction）画像データの少なくとも何れかを合成することにより前記第２の表示データを生成することを特徴とする請求項９記載の医用画像診断装置。
【請求項１１】
前記表示手段は、前記関心領域選択手段によって選択された前記関心領域とこの関心領域に対応するＳＵＶグラフのグラフ領域をハイライト表示することを特徴とする請求項１０記載の医用画像診断装置。
【請求項１２】
被検体に対するＰＥＴ撮影あるいはＳＰＥＣＴ撮影によって予め収集されたボリュームデータに基づいて画像データの表示を行なう画像情報表示装置において、
前記ボリュームデータに基づいて生成されたＳＵＶデータに基づいて、前記被検体における複数の関心領域におけるＳＵＶ値の比率を示す１つのＳＵＶグラフを作成するＳＵＶグラフ作成手段と、
前記ＳＵＶグラフを表示する表示手段とを備えたことを特徴とする画像情報表示装置。
【請求項１３】
前記表示手段は、前記ＳＵＶグラフとともに、前記画像データを表示する請求項１２記載の画像情報表示装置。
【請求項１４】
被検体に対するＰＥＴ撮影あるいはＳＰＥＣＴ撮影によって収集されたボリュームデータに基づいて画像データの表示を行なう医用画像診断装置あるいは画像情報表示装置に対し、
前記ボリュームデータに基づいて生成されたＳＵＶデータに基づいて、前記被検体における複数の関心領域におけるＳＵＶ値の比率を示す１つのＳＵＶグラフを作成するＳＵＶグラフ作成機能と、
前記ＳＵＶグラフを表示する表示機能を実行させることを特徴とする制御プログラム。
【発明の詳細な説明】
【技術分野】
【０００１】
本発明の実施形態は、被検体から収集された画像情報の画素値あるいはボクセル値をグラフ表示することにより疾患部位の状態を効率よく観察することが可能な医用画像診断装置、画像情報表示装置及び制御プログラムに関する。
【背景技術】
【０００２】
Ｘ線診断装置、ＭＲＩ装置、Ｘ線ＣＴ装置及び核医学診断装置等を用いた医用画像診断は、コンピュータ技術の発展に伴って急速な進歩を遂げ、今日の医療において必要不可欠なものとなっている。
【０００３】
上述のＸ線診断装置やＸ線ＣＴ装置は、臓器や腫瘍等の輪郭を描出することによって診断を行なう、所謂、形態診断を目的としているのに対し、核医学診断装置は、生体組織に選択的に取り込まれた放射性同位元素又はその標識化合物から放射されるγ線を体外から計測し、その線量分布を画像化することにより被検体に対する機能診断を可能としている。
【０００４】
核医学診断装置として、ガンマカメラ、ＳＰＥＣＴ（Single Photon Emission Computed Tomography）装置、ＰＥＴ（Positron Emission Computed Tomography）装置等が臨床の場で使用されており、例えば、ＰＥＴ装置は、陽電子（ポジトロン）を放出する核種によって標識した放射性同位元素を被検体内に投与し、この陽電子が電子と結合して消滅する際に被検体の周囲に配置したリング状の検出器によって検出される一対のγ線情報を再構成処理することにより画像データの生成を行なっている。
【０００５】
又、近年では、形態画像データの収集を可能とするＸ線ＣＴ装置やＭＲＩ装置等の形態画像診断装置と機能画像データの収集を可能とするＰＥＴ装置やＳＰＥＣＴ装置等の機能画像診断装置を一体化した医用画像診断装置が新たに開発され、このような医用画像診断装置を用いることにより被検体の全身領域における形態画像データ及び機能画像データを効率よく収集することが可能となった。
【先行技術文献】
【特許文献】
【０００６】
【特許文献１】特開２００２−９０４５８号公報
【発明の概要】
【発明が解決しようとする課題】
【０００７】
上述したＰＥＴ装置等を用いた核医学診断では、被検体から収集されたボリュームデータのボクセル値を変換処理することによって３次元のＳＵＶ（standardized uptake value）データを生成し、このＳＵＶデータのボクセル値（ＳＵＶ値）を所定方向へ最大値投影して得られるＭＩＰ（maximum intensity projection）画像データを観察することによって行われる。
【０００８】
しかしながら、このようなＭＩＰ画像データを用いた核医学診断では、投影方向に重なった複数からなる疾患部の各々を分離して観察するためには、投影方向を連続的に更新させることによりＭＩＰ画像データを回転表示させる必要があった。又、上述のＳＵＶデータは、被検体の広範囲な領域から収集されたボリュームデータに基づいて生成されるため、ＰＥＴ装置等の医用画像診断装置を操作する医療従事者（以下では、操作者と呼ぶ。）は、上述のＳＵＶデータを投影処理して得られた広範囲なＭＩＰ画像データの中から診断すべき疾患領域を抽出して観察しなくてはならなかった。このため、疾患領域を見逃すリスクが高い頻度で発生し、核医学診断を担当する前記操作者の負担は著しく増大するという問題点を有していた。
【０００９】
本開示は、上述の問題点に鑑みてなされたものであり、その目的は、被検体から収集された画像情報の画素値あるいはボクセル値をグラフ表示することにより疾患部位の有無やその状態を効率よく観察することが可能な医用画像診断装置、画像情報表示装置及び制御プログラムを提供することにある。
【課題を解決するための手段】
【００１０】
上記課題を解決するために、本開示の医用画像診断装置は、被検体に対するＰＥＴ撮影あるいはＳＰＥＣＴ撮影によってボリュームデータを収集し、このボリュームデータに基づいて生成されたＳＵＶデータに基づいて、前記被検体における複数の関心領域におけるＳＵＶ値の比率を示す１つのＳＵＶグラフを作成するＳＵＶグラフ作成手段と、前記ＳＵＶグラフを表示する表示手段とを備えたことを特徴としている。
また、本開示の画像情報表示装置は、被検体に対するＰＥＴ撮影あるいはＳＰＥＣＴ撮影によって予め収集されたボリュームデータに基づいて画像データの表示を行い、前記ボリュームデータに基づいて生成されたＳＵＶデータに基づいて、前記被検体における複数の関心領域におけるＳＵＶ値の比率を示す１つのＳＵＶグラフを作成するＳＵＶグラフ作成手段と、前記ＳＵＶグラフを表示する表示手段とを備えたことを特徴としている。
また、本開示の制御プログラムは、被検体に対するＰＥＴ撮影あるいはＳＰＥＣＴ撮影によって収集されたボリュームデータに基づいて画像データの表示を行なう医用画像診断装置あるいは画像情報表示装置に対し、前記ボリュームデータに基づいて生成されたＳＵＶデータに基づいて、前記被検体における複数の関心領域におけるＳＵＶ値の比率を示す１つのＳＵＶグラフを作成するＳＵＶグラフ作成機能と、前記ＳＵＶグラフを表示する表示機能を実行させることを特徴としている。
【図面の簡単な説明】
【００１１】
【図１】第１の実施形態における医用画像診断装置の全体構成を示すブロック図。
【図２】第１の実施形態の医用画像診断装置が備える画像情報収集部の具体的な構成を示すブロック図。
【図３】第１の実施形態の画像情報収集部が備える検出器モジュールを説明するための図。
【図４】第１の実施形態のＳＵＶデータに対して設定された関心領域とこの関心領域において算出された累積ＳＵＶ比率の具体例を示す図。
【図５】第１の実施形態の医用画像診断装置によって作成されるＳＵＶグラフの具体例を示す図。
【図６】第１の実施形態の医用画像診断装置によって生成される第１の表示データの具体例を示す図。
【図７】第１の実施形態の医用画像診断装置によって生成される第２の表示データの具体例を示す図。
【図８】第１の実施形態の医用画像診断装置が備える移動機構部を説明するための図。
【図９】第１の実施形態における表示データの生成／表示手順を示すフローチャート。
【図１０】第２の実施形態における画像情報表示装置の全体構成を示すブロック図。
【発明を実施するための形態】
【００１２】
以下、図面を参照して本開示の実施形態を説明する。
【００１３】
（第１の実施形態）
本実施形態の医用画像診断装置は、先ず、被検体に対するＰＥＴ撮影によって３次元の画像情報（ボリュームデータ）を収集し、このボリュームデータを処理して得られたＳＵＶデータのボクセル値（ＳＵＶ値）と所定の閾値αとを比較することにより疾患領域あるいは疾患が疑われる領域を示す１つあるいは複数の関心領域を設定する。次いで、これらの関心領域に囲まれたＳＵＶデータの累積ＳＵＶ比率に基づいて所定形式のＳＵＶグラフを作成し、上述のＳＵＶデータを所定方向へ最大値投影して得られた当該被検体の広範囲な領域におけるＭＩＰ（maximum intensity projection）画像データと共に表示する。更に、表示部に表示された上述のＳＵＶグラフを構成するグラフ領域が選択された場合、このグラフ領域に対応した関心領域を中心とする狭範囲な領域の拡大ＭＩＰ画像データ及びＭＰＲ（multi planar reconstruction）画像データを生成し前記ＳＵＶグラフや広範囲なＭＩＰ画像データと共に表示部に表示する。
【００１４】
尚、以下の実施形態では、ＰＥＴ撮影によってボリュームデータを収集する画像情報収集部を備えた医用画像診断装置について述べるが、これに限定されるものではなく、例えば、ＳＰＥＣＴ撮影によってボリュームデータの収集を可能とする画像情報収集部を備えた医用画像診断装置であってもよい。又、ＰＥＴ撮影あるいはＳＰＥＣＴ撮影が可能な上述の画像情報収集部とＭＲＩ撮影あるいはＸ線ＣＴ撮影が可能な画像情報収集部とを備えた医用画像診断装置であっても構わない。
【００１５】
（装置の構成）
本実施形態における医用画像診断装置の構成につき図１乃至図８を用いて説明する。尚、図１は、本実施形態における医用画像診断装置の全体構成を示すブロック図であり、図２は、この医用画像診断装置が備える画像情報収集部の具体的な構成を示すブロック図である。
【００１６】
図１に示す本実施形態の医用画像診断装置１００は、放射性同位元素が投与された被検体１５０の体内から放射される１対のγ線の検出方向及び検出位置を検出して投影データを生成し、この投影データに基づいてボリュームデータを生成する画像情報収集部（ＰＥＴ撮影部）３と、画像情報収集部３において生成されたボリュームデータを保存するボリュームデータ記憶部４と、ボリュームデータ記憶部４から読み出したボリュームデータのボクセル値に対し所定の演算処理を行なうことによって３次元のＳＵＶデータを生成するＳＵＶデータ生成部５と、所定の閾値αより大きなボクセル値（ＳＵＶ値）を示すＳＵＶデータのボクセルを連結処理することによって３次元の関心領域を設定する関心領域設定部６と、この関心領域に囲まれたＳＵＶデータのボクセル値を累積加算することにより累積ＳＵＶ比率を算出する累積加算処理部７と、上述のＳＵＶデータ生成部５から供給された３次元のＳＵＶデータに基づいて広範囲なＭＩＰ画像データ及び狭範囲な拡大ＭＩＰ画像データや各種のＭＰＲ画像データを生成する画像データ生成部８を備えている。
【００１７】
又、医用画像診断装置１００は、上述の累積ＳＵＶ比率に基づいて作成した所定形式のＳＵＶグラフや画像データ生成部８において生成されたＭＩＰ画像データ及びＭＰＲ画像データ等に基づいて表示データを生成する表示データ生成部９と、表示データ生成部９において生成された表示データを表示する表示部１０を備え、更に、図示しない寝台に据え付けられ被検体１５０を載置する天板１１と、画像情報収集部３が設けられた図示しないＰＥＴ架台部あるいは被検体１５０を載置した天板１１を体軸方向（図１のｚ方向）へ移動させることにより被検体１５０の広範囲な領域をＰＥＴ架台部の撮影野に順次配置する移動機構部１２と、被検体情報の入力、撮影条件やボリュームデータ収集条件の設定、画像データ生成条件及び表示データ生成条件の設定、表示データ表示条件の設定、閾値αの設定、各種指示信号の入力等を行なう入力部１３と、上述の各ユニットを統括的に制御するシステム制御部１４を備えている。
【００１８】
次に、医用画像診断装置１００が備える上述の各ユニットの構成と機能につき更に詳しく説明する。
【００１９】
医用画像診断装置１００の画像情報収集部３は、図２に示すように、被検体１５０の周囲において同心円状に配列され、放射性同位元素が投与された被検体１５０の体内から放射される１対のγ線を検出する検出器モジュール３１と、検出されたγ線とノイズとの弁別、γ線の検出時刻や検出位置の計測、同時計測された１対のγ線の検出位置等に基づく検出方向の計測を行ない、更に、所定期間におけるγ線のカウント値をγ線検出位置及びγ線検出方向に対応させて累積加算することにより投影データを生成する検出データ処理部３２と、得られた投影データを再構成処理することによってボリュームデータを生成するボリュームデータ生成部３３を備えている。
【００２０】
複数個からなる検出器モジュール３１（３１−１乃至３１−Ｎｍ）は、天板１１に載置された状態で画像情報収集部３の撮影野に配置された被検体１５０の周囲において同心円状に配列され、被検体１５０から放射されたγ線は、これらの検出器モジュール３１によって一旦可視光に変換された後電気信号（検出信号）に変換される。
【００２１】
図３は、検出器モジュール３１の具体的な構成を示したものであり、検出器モジュール３１−１乃至３１−Ｎｍの各々は、被検体１５０から放射されるγ線を検出して可視光に変換する短冊状のシンチレータ３１１と、シンチレータ３１１によって変換された可視光を電気信号に変換すると共に変換した微弱な電気信号を増幅する光電子増倍管３１２と、シンチレータ３１１から出力された可視光を光電子増倍管３１２へ伝達するライトガイド３１３を有している。
【００２２】
シンチレータ３１１は、ビスマスジャーマネイド（ＢＧＯ：（Ｂｉ４Ｇｅ３Ｏ１２））、タリウム活性化ヨウ化ナトリウム（ＮａＩ（Ｔｌ））、フッ化バリウム（ＢａＦ２）等の材料が用いられ、特に、画像情報収集部３の検出器モジュール３１には、単位体積当たりのγ線光電吸収率が高いビスマスジャーマネイドや応答速度の速いフッ化バリウムが好適である。
【００２３】
光電子増倍管３１２は、例えば、数百個からなる光子を１０７〜１０１０個の電子に増幅し、出力段である陽極にその電子を収集して電気信号に変換するものであり図示しない光電陰極と電子増倍器を備えている。光電陰極には、その波長特性がシンチレータ３１１の発光波長に略均しい多アルカリ物質あるいは酸素やセシウムで活性化したバイアルカリ物質が用いられ、入射光子数に対する発生光電子数は通常２０％乃至３０％である。一方、電子増倍器は、２次電子放出現象に基づき、電子の伝搬経路に沿って配置された多段の電極と増幅された電子を収集する陽極とから構成されている。そして、管電圧が２００Ｖ乃至３００Ｖの場合の１段当たりの増幅率は約５倍であるため、上述の１０７の増幅率を得るためには１０段程度の電極が設けられる。
【００２４】
ライトガイド３１３は、シンチレータ３１１と光電子増倍管３１２を光学的にカップリングするためのものであり、シンチレータ３１１から出力された可視光を効率よく光電子増倍管３１２へ伝達するために光透過性に優れたプラスチック材が用いられる。
【００２５】
図２へ戻って、画像情報収集部３の検出データ処理部３２は、上述の検出器モジュール３１−１乃至３１−Ｎｍの各々に接続されているＮｍチャンネルのデータ処理ユニット３２１−１乃至３２１−Ｎｍと、これらのデータ処理ユニット３２１から出力されたγ線の検出位置情報に基づいてγ線の検出方向を計測する検出方向計測部３２２と、所定期間における検出信号のカウント値をγ線検出位置及びγ線検出方向に対応させて順次累積加算することによりＰＥＴ撮影モードの投影データを生成する投影データ生成部３２３を備えている。
【００２６】
尚、ここでは、被検体１５０に投与された放射性同位元素Ｓから放射される１対のγ線が検出器モジュール３１−ａ及び３１−ｂによって検出された場合を想定し、検出器モジュール３１−ａ及び３１−ｂに接続されているデータ処理ユニット３２１−a及び３２１−ｂのみを示している。
【００２７】
検出データ処理部３２のデータ処理ユニット３２１−ａ及び３２１−ｂは、検出器モジュール３１−ａ及び３１−ｂの光電子増倍管３１２から供給された複数チャンネルの検出信号を加算合成する信号合成部３３１と、信号合成部３３１において合成された検出信号を用いてγ線に起因する検出信号とノイズとの弁別を各々の波高値に基づいて行なう信号弁別部３３２と、信号合成部３３１から出力された合成後の検出信号を矩形波に整形する波形整形部３３３と、信号弁別部３３２において弁別された検出信号に対応するγ線の検出時刻を波形整形部３３３から供給された矩形波のフロントエッジ等に基づいて計測する検出時刻計測部３３４と、信号弁別部３３２において弁別された検出信号に対応するγ線の検出位置を検出器モジュール３１−ａ及び３１−ｂの光電子増倍管３１２から供給された複数チャンネルの検出信号に基づいて計測する検出位置計測部３３５を備えている。尚、データ処理ユニット３２１を構成する各ユニットの具体的な構成と機能については、特開２００７−１０７９９５号公報等において記載されているため詳細な説明は省略する。
【００２８】
次に、検出データ処理部３２の検出方向計測部３２２は、データ処理ユニット３２１−１乃至３２１−Ｎｍの各々に設けられた検出時刻計測部３３４から供給されるγ線の検出時刻及び検出位置計測部３３５から供給されるγ線の検出位置の情報に基づき、被検体１５０の体内から放射されるγ線の検出方向を計測する。
【００２９】
一方、投影データ生成部３２３は、累積演算機能を有する図示しない記憶回路を備え、検出方向計測部３２２から供給された検出信号のカウント値を上述のγ線の検出位置及び検出方向に対応させて前記記憶回路に保存する。そして、例えば、検出器モジュール３１−ａと検出器モジュール３１−ｂによるγ線の検出が所定期間において行なわれる度に、検出信号のカウント値は、検出位置及び検出方向に対応した前記記憶回路のアドレスにおいて累積加算される。
【００３０】
更に、検出器モジュール３１−ａ及び検出器モジュール３１−ｂと異なる他の検出器モジュール３１において１対のγ線が検出された場合においても、γ線の検出位置と検出方向を上述と同様の方法によって計測し、検出信号のカウント値をγ線の検出位置及び検出方向に対応した前記記憶回路のアドレスにおいて累積加算する。即ち、所定期間内において順次検出されるγ線のカウント値は、検出位置及び検出方向に対応した記憶回路のアドレスにおいて累積加算され投影データが生成される。
【００３１】
ボリュームデータ生成部３３は、図示しない投影データ記憶部、再構成処理部及びデータ処理部を備え、投影データ記憶部には、検出データ処理部３２の投影データ生成部３２３において生成された投影データが検出位置や検出方向等を付帯情報として保存される。一方、再構成処理部は、投影データ記憶部から読み出した上述の投影データを再構成処理してボリュームデータを生成し、データ処理部は、得られたボリュームデータに対し補間処理等のデータ処理を行なう。そして、データ処理されたボリュームデータは、図１のボリュームデータ記憶部４に保存される。
【００３２】
次に、図１に示したＳＵＶデータ生成部５は、図示しないデータ記憶部を備え、ボリュームデータ記憶部４から読み出したボリュームデータのボクセル値（放射性同位元素の放射能濃度値）に係数β（β＝被検体１５０の体重／放射性同位元素の投与量）を乗算することにより、上述の体重や投与量に影響されず定量的な評価が可能な指標値ＳＵＶ（standardized uptake value）をボクセル値とする３次元のＳＵＶデータを生成する。そして、得られたＳＵＶデータを自己のデータ記憶部に保存する。
【００３３】
関心領域設定部６は、図示しないフィルタリング処理部、ＳＵＶ比較部及び連結処理部を備えている。フィルタリング処理部は、ＳＵＶデータ生成部５のデータ記憶部から読み出したＳＵＶデータに対しノイズ除去や平滑化を目的としたフィルタリング処理を必要に応じて行ない、ＳＵＶ比較部は、フィルタリング処理されたＳＵＶデータのボクセル値と所定の閾値α（例えば、α＝４．０）とを比較することにより多くの放射性同位元素が集積した疾患領域あるいは疾患が疑われる領域のボクセルを抽出する。そして、連結処理部は、所定の距離範囲内に隣接する上述のボクセルを連結処理し、これらのボクセルを内包する所定形状の３次元関心領域を設定する。
【００３４】
一方、累積加算処理部７は、ＳＵＶデータ生成部５において生成されたＳＵＶデータに対し関心領域設定部６が設定した１つあるいは複数からなる３次元関心領域の各々に含まれているＳＵＶデータのボクセル値（ＳＵＶ値）を累積加算することにより累積ＳＵＶ値を算出し、更に、前記関心領域の各々における累積ＳＵＶ値を加算処理して得られた総ＳＵＶ値で上述の累積ＳＵＶ値を除することにより累積ＳＵＶ比率を算出する。
【００３５】
図４に、ＳＵＶデータ生成部５から供給された３次元のＳＵＶデータに対し関心領域設定部６が設定した３次元の関心領域Ｒ１乃至Ｒ４（図４（ａ））と、これらの関心領域Ｒ１乃至Ｒ４によって囲まれたＳＵＶデータのボクセル値に基づいて累積加算処理部７が算出した累積ＳＵＶ比率（図４（ｂ））の具体例を示す。
【００３６】
図１へ戻って、画像データ生成部８は、ＭＩＰ画像データ生成部８１とＭＰＲ画像データ生成部８２を備えている。
【００３７】
ＭＩＰ画像データ生成部８１は、ＳＵＶデータ生成部５のデータ記憶部から読み出した３次元のＳＵＶデータを、例えば、被検体１５０の正面方向（図１のｙ方向）及び側面方向（図１のｘ方向）に垂直な投影面に最大値投影（即ち、投影面に垂直な複数からなる投影軸の各々において配列された複数のボクセルの中から最大ボクセル値を有するボクセルを選択し前記投影面に投影）することによって各々の方向における広範囲なＭＩＰ画像データを生成する。更に、表示部１０に表示された表示データを構成するＳＵＶグラフにおいて後述のグラフ領域が選択された場合、このグラフ領域に対応した所望関心領域を中心とする狭範囲な拡大ＭＩＰ画像データを上述と同様の方法によって生成する。この場合、拡大ＭＩＰ画像データの生成における投影方向は、選択された関心領域と他の関心領域とが重ならないように設定することが望ましいが特に限定されない。又、後述の図７に示すように、選択されていない関心領域のＳＵＶデータを削除し、選択された関心領域のＳＵＶデータのみを用いて拡大ＭＩＰ画像データを生成することにより、他の関心領域の影響を受けない良好な拡大ＭＩＰ画像データを得ることが可能となる。
【００３８】
一方、ＭＰＲ画像データ生成部８２は、上述したグラフ領域の選択により拡大ＭＩＰ画像データが収集される関心領域の選択が行なわれた場合、例えば、選択された関心領域の中心位置において互いに直交するコロナル断面（ｘ−ｚ平面）、サジタル断面（ｙ−ｚ平面）及びアキシャル断面（ｘ−ｙ平面）をＭＰＲ断面として設定する。次いで、ＳＵＶデータ生成部５のデータ記憶部から読み出した３次元のＳＵＶデータに対し所定の厚みＤを有する上述のＭＰＲ断面を設定し、当該ＭＰＲ断面の内部に存在するＳＵＶデータのボクセルを抽出することにより各々の断面におけるＭＰＲ画像データを生成する。
【００３９】
次に、表示データ生成部９は、図１に示すようにＳＵＶグラフ作成部９１、参照ＳＵＶグラフ保管部９２及びデータ合成部９３を備えている。
【００４０】
ＳＵＶグラフ作成部９１は、累積加算処理部７において算出された累積ＳＵＶ比率を用いて所定形式のＳＵＶグラフを生成する。図５は、累積加算処理部７から供給された関心領域Ｒ１乃至Ｒ４（図４参照）における累積ＳＵＶ比率の算出結果（図５（ａ））と、この算出結果に基づいてＳＵＶグラフ作成部９１が作成したＳＵＶグラフの具体例（図５（ｂ））を示している。但し、図５（ｂ）では、ＳＵＶグラフとして円グラフを作成する場合について示しているが、棒グラフ等の他の形式のＳＵＶグラフであっても構わない。
【００４１】
一方、参照ＳＵＶグラフ保管部９２には、正常人から収集されたボリュームデータに基づくＳＵＶグラフや被検体１５０から収集した過去（例えば、治療前）のボリュームデータに基づくＳＵＶグラフ等が参照ＳＵＶグラフとして予め保管されている。
【００４２】
そして、データ合成部９３は、ＭＩＰ画像データ生成部８１から供給される広範囲なＭＩＰ画像データに関心領域設定部６から供給される関心領域の境界情報を重畳し、更に、ＳＵＶグラフ作成部９１から供給される被検体１５０のＳＵＶグラフ及び参照ＳＵＶグラフ保管部９２から読み出した参照ＳＵＶグラフ等を付加して第１の表示データを生成する。又、ＭＩＰ画像データ生成部８１から供給される狭範囲な拡大ＭＩＰ画像データに上述の広範囲なＭＩＰ画像データやＳＵＶグラフ、更には、ＭＰＲ画像データ生成部８２から供給される各種のＭＰＲ画像データを付加して第２の表示データを生成する。尚、第２の表示データを構成する広範囲なＭＩＰ画像データ及び狭範囲な拡大ＭＩＰ画像データに関心領域設定部６から供給される関心領域の境界情報を付加してもよいが、特に限定されない。
【００４３】
図６は、表示データ生成部９のデータ合成部９３によって生成された第１の表示データの具体例を示したものであり、例えば、表示データの左領域には、ＭＩＰ画像データ生成部８１において生成された被検体１５０の正面方向を投影方向とする広範囲なＭＩＰ画像データＭａ及び側面方向を投影方向とする広範囲なＭＩＰ画像データＭｂが配置され、表示データの右上領域には、ＳＵＶグラフ作成部９１において作成された被検体１５０のＳＵＶグラフＧａが、又、右下領域には、参照ＳＵＶグラフ保管部９２から読み出された参照ＳＵＶグラフＧｂが夫々配置されている。更に、ＭＩＰ画像データＭａ及びＭｂの下方にはスライドレバーＳＬが配置され、表示部１０に表示された当該表示データのスライドレバーＳＬを入力部１３の入力デバイスを用いて左右方向へ移動させることによりＳＵＶデータに対する閾値αの更新が可能となる。
【００４４】
そして、表示部１０に表示された前記表示データのＳＵＶグラフＧａにおける関心領域Ｒ１に対応したグラフ領域（図５参照）が上述の入力デバイスによって選択された場合、表示データ生成部９のデータ合成部９３は、この選択情報を受信したＭＩＰ画像データ生成部８１が新たに生成した関心領域Ｒ１を中心とする狭範囲な拡大ＭＩＰ画像データにＭＰＲ画像データ生成部８２が生成した関心領域Ｒ１の中心位置において互いに直交するコロナル断面、サジタル断面及びアキシャル断面におけるＭＰＲ画像データや上述の広範囲なＭＩＰ画像データ及びＳＵＶグラフ等を付加して第２の表示データを生成する。
【００４５】
図７は、表示データ生成部９のデータ合成部９３によって生成された第２の表示データの具体例を示したものであり、例えば、表示データの左上領域には、ＭＩＰ画像データ生成部８１によって生成された被検体１５０の広範囲なＭＩＰ画像データＭａ及びスライドレバーＳＬが配置され、表示データの右上領域には、ＳＵＶグラフ作成部９１によって作成されたＳＵＶグラフＧａ、表示データの左下領域には、ＭＰＲ画像データ生成部８２によって新たに生成されたコロナル断面のＭＰＲ画像データＮｃ、サジタル断面のＭＰＲ画像データＮｓ及びアキシャル断面のＭＰＲ画像データＮａ、表示データの右下領域には、ＭＩＰ画像データ生成部８１によって新たに生成された狭範囲な拡大ＭＩＰ画像データＭｃが夫々配置される。
【００４６】
尚、上述の第１の表示データに示されたＳＵＶグラフＧａに基づいて所望の関心領域（例えば、関心領域Ｒ１）が選択された場合、ＭＩＰ画像データ生成部８１は、既に述べたように、選択された関心領域のＳＵＶデータのみを用いて拡大ＭＩＰ画像データＭｃを生成することが可能である。このような方法を用いることにより他の関心領域の影響を受けない良好な拡大ＭＩＰ画像データＭｃを得ることができる。
【００４７】
次に、図１の表示部１０は、図示しない変換処理部とモニタを備え、変換処理部は、表示データ生成部９のデータ合成部９３から供給された上述の第１の表示データ及び第２の表示データに対しＤ／Ａ変換やＴＶフォーマット変換等の変換処理を行なってモニタに表示する。
【００４８】
尚、第１の表示データに示された広範囲なＭＩＰ画像データＭａ及びＭｂの関心領域Ｒ１乃至Ｒ４とこれらの関心領域に対応するＳＵＶグラフＧａ及びＧｂのグラフ領域は、共通の色調、輝度、テクスチャ、パターン等によって表示される。又、第２の表示データの広範囲なＭＩＰ画像データＭａの関心領域とこの関心領域に対応するＳＵＶグラフＧａのグラフ領域は、所定の色調や輝度によってハイライト表示される。
【００４９】
移動機構部１２は、図示しない架台移動部及び移動機構制御部を備え、架台移動部は、移動機構制御部から供給される架台移動制御信号に従い、画像情報収集部３を有するＰＥＴ架台部を床面に設けられたガイドレールに沿って被検体１５０の体軸方向へ移動させる。一方、移動機構制御部は、入力部１３からシステム制御部１４を介して供給される撮影条件やボリュームデータ収集条件等に基づいて生成した架台移動制御信号を上述の架台移動部へ供給する。
【００５０】
図８は、移動機構部１２の架台移動部によって移動するＰＥＴ架台部を説明するための図であり、この図８に示すように検査室の床面１３０には被検体１５０を載置する天板１１を有した寝台１３１が据え付けられ、天板１１の体軸方向（ｚ方向）にガイドレール１３２が配設されている。そして、被検体１５０の広範囲な検査対象部位が画像情報収集部３の撮影野に配置されるように画像情報収集部３を有するＰＥＴ架台部１３３をガイドレール１３２に沿って体軸方向へ移動させることにより撮影位置の選択や調整が行なわれる。
【００５１】
尚、ＰＥＴ架台部１３３を移動させる替わりに、被検体１５０が載置された天板１１を移動させてもよい。この場合、移動機構部１２は、天板１１を体軸方向へ移動させる天板移動部とこの天板移動部に対し天板移動制御信号を供給する移動機構制御部を備える。
【００５２】
次に、図１の入力部１３は、キーボード、選択スイッチ、マウス等の入力デバイスや表示パネルを備え、表示部１０と組み合わせて用いることによりインタラクティブなインターフェースを形成している。そして、被検体情報の入力、投与薬剤情報の入力、撮影条件及びボリュームデータ収集条件の設定、画像データ生成条件及び表示データ生成条件の設定、表示データ表示条件の設定、ＳＵＶグラフを用いた関心領域の選択、閾値αの設定、グラフ形式の選択、各種指示信号の入力等が上述の表示パネルや入力デバイスを用いて行なわれる。
【００５３】
一方、システム制御部１４は、図示しないＣＰＵと記憶回路を備え、入力部１３から供給される上述の入力情報、選択情報及び設定情報は、記憶回路に保存される。そして、ＣＰＵは、記憶回路から読み出したこれらの情報に基づいて医用画像診断装置１００に備えられた各ユニットを統括的に制御し、ボリュームデータの生成、ＳＵＶデータ、ＭＩＰ画像データ及びＭＰＲ画像データの生成、ＳＵＶデータに基づくＳＵＶグラフの作成、ＭＩＰ画像データ、ＭＰＲ画像データ及びＳＵＶグラフに基づく表示データの生成等を実行させる。
【００５４】
（表示データの生成／表示手順）
次に、本実施形態の画像情報収集部３によって生成されボリュームデータ記憶部４に保存されたボリュームデータを用いて行なわれる表示データの生成／表示手順につき図９のフローチャートに沿って説明する。
【００５５】
表示データの生成に先立ち、医用画像診断装置１００の操作者は、入力部１３において被検体情報の入力、投与薬剤情報（例えば、放射性同位元素の投与量）の入力、ＭＩＰ画像データ生成条件、ＭＰＲ画像データ生成条件及び表示データ生成条件の設定、表示データ表示条件の設定、閾値αの設定。グラフ形式（例えば、円グラフ）の選択等を行なう。（図９のステップＳ１）。そして、これらの入力情報、選択情報及び設定情報は、システム制御部１４の記憶回路に保存される。
【００５６】
上述の初期設定が終了したならば、操作者は、入力部１３において表示データ生成開始指示信号を入力し、この指示信号が、システム制御部１４へ供給されることにより表示データの生成が開始される（図９のステップＳ２）。
【００５７】
即ち、システム制御部１４を介して上述の指示信号を受信した医用画像診断装置１００のＳＵＶデータ生成部５は、ボリュームデータ記憶部４から読み出したボリュームデータのボクセル値に係数β（β＝被検体１５０の体重／放射性同位元素の投与量）を乗算することにより、指標値SUVをボクセル値とする３次元のＳＵＶデータを生成し、得られたＳＵＶデータを自己のデータ記憶部に保存する（図９のステップＳ３）。
【００５８】
一方、関心領域設定部６は、ＳＵＶデータ生成部５のデータ記憶部から読み出したＳＵＶデータに対しノイズ除去や平滑化を目的としたフィルタリング処理を必要に応じて行ない、フィルタリング処理後のＳＵＶデータのボクセル値と閾値αとを比較することにより放射性同位元素が集積することによって大きなＳＵＶ値を呈した疾患領域あるいは疾患が疑われる領域のボクセルを抽出する。そして、所定の距離範囲内に存在する上述のボクセルを連結処理し、これらのボクセルを内包する３次元の関心領域を設定する（図９のステップＳ４）。
【００５９】
次いで、累積加算処理部７は、ＳＵＶデータ生成部５において生成された３次元のＳＵＶデータに対し関心領域設定部６が設定した１つあるいは複数からなる関心領域の各々に含まれているＳＵＶデータのボクセル値を累積加算することにより累積ＳＵＶ値を算出し、更に、前記関心領域の各々における累積ＳＵＶ値を加算処理して得られた総ＳＵＶ値で上述の累積ＳＵＶ値を除することにより前記関心領域の各々における累積ＳＵＶ比率を算出する（図９のステップＳ５）。
【００６０】
そして、表示データ生成部９のＳＵＶグラフ作成部９１は、累積加算処理部７によって算出された累積ＳＵＶ比率を用いて所定形式のＳＵＶグラフを生成する（図９のステップＳ６）。
【００６１】
一方、画像データ生成部８のＭＩＰ画像データ生成部８１は、ＳＵＶデータ生成部５のデータ記憶部から読み出したボリュームデータを被検体１５０の正面方向及び側面方向に垂直な投影面に最大値投影することによって各々の方向における広範囲なＭＩＰ画像データを生成する（図９のステップＳ７）。
【００６２】
次に、表示データ生成部９のデータ合成部９３は、ＭＩＰ画像データ生成部８１から供給された広範囲なＭＩＰ画像データに関心領域設定部６から供給された関心領域の境界情報を重畳し、更に、ＳＵＶグラフ作成部９１が作成した被検体１５０のＳＵＶグラフ及び参照ＳＵＶグラフ保管部９２から読み出した参照ＳＵＶグラフを付加して第１の表示データを生成する。そして、得られた第１の表示データを表示部１０のモニタに表示する（図９のステップＳ８）。
【００６３】
一方、表示部１０に表示された第１の表示データを観察した医用画像診断装置１００の操作者は、この第１の表示データのＳＵＶグラフにおいて、例えば、最も広い面積を有するグラフ領域（即ち、最も大きな累積ＳＵＶ比率を有するグラフ領域）を入力部１３の入力デバイスを用いて選択することにより、当該グラフ領域に対応したＭＩＰ画像データ上の関心領域を選択する（図９のステップＳ９）。
【００６４】
この選択情報を受信した画像データ生成部８のＭＩＰ画像データ生成部８１は、ＳＵＶデータ生成部５のデータ記憶部から読み出した前記関心領域におけるＳＵＶデータを、例えば、被検体１５０の正面方向に垂直な投影面に最大値投影することによって狭範囲な拡大ＭＩＰ画像データを生成し、ＭＰＲ画像データ生成部８２は、選択された前記関心領域の中心位置において互いに直交するコロナル断面、サジタル断面及びアキシャル断面を前記関心領域のＳＵＶデータに設定することにより各々の断面におけるＭＰＲ画像データを生成する。
【００６５】
そして、表示データ生成部９のデータ合成部９３は、ＭＩＰ画像データ生成部８１から新たに供給された狭範囲な拡大ＭＩＰ画像データに上述の広範囲なＭＩＰ画像データやＳＵＶグラフ、更には、ＭＰＲ画像データ生成部８２から新たに供給された上述のＭＰＲ画像データを付加して第２の表示データを生成し、表示部１０のモニタに表示する（図９のステップＳ１０）。
【００６６】
（第２の実施形態）
次に、本開示の第２の実施形態について説明する。この第２の実施形態における画像情報表示装置は、別途設置されたＰＥＴ装置等の医用画像診断装置において予め収集され、ネットワーク等を介して供給されたボリュームデータを処理して３次元のＳＵＶデータを生成し、このＳＵＶデータのボクセル値（ＳＵＶ値）と所定の閾値αとを比較することによって疾患領域あるいは疾患が疑われる領域を示す１つあるいは複数の関心領域を設定する。次いで、これらの関心領域に囲まれたＳＵＶデータの累積ＳＵＶ比率に基づいて所定形式のＳＵＶグラフを作成し、上述のＳＵＶデータを所定方向に投影して得られた当該被検体の広範囲なＭＩＰ画像データと共に表示する。
【００６７】
更に、表示部に表示された上述のＳＵＶグラフを構成するグラフ領域が選択された場合、このグラフ領域に対応した関心領域を中心とする狭範囲な領域の拡大ＭＩＰ画像データ及びＭＰＲ画像データを生成し前記ＳＵＶグラフや広範囲なＭＩＰ画像データと共に表示部に表示する。
【００６８】
尚、本実施形態における画像情報表示装置の全体構成を示す図１０のブロック図において、図１に示した医用画像診断装置１００のユニットと同一の構成及び機能を有するユニットは同一の符号を付加し詳細な説明は省略する。
【００６９】
即ち、図１０に示す本実施形態の画像情報表示装置２００は、ＰＥＴ装置やＳＰＥＣＴ装置等の医用画像診断装置によって予め収集された３次元の画像情報（ボリュームデータ）を保管するボリュームデータ保管部２０と、ボリュームデータ保管部２０から読み出したボリュームデータのボクセル値に対し所定の演算処理を行なうことによって３次元のＳＵＶデータを生成するＳＵＶデータ生成部５と、所定の閾値αより大きなボクセル値（ＳＵＶ値）を示すＳＵＶデータのボクセルを連結処理することによって３次元の関心領域を設定する関心領域設定部６と、この関心領域に囲まれたＳＵＶデータのボクセル値を累積加算することにより累積ＳＵＶ比率を算出する累積加算処理部７と、上述のＳＵＶデータ生成部５から供給された３次元のＳＵＶデータに基づいて広範囲なＭＩＰ画像データ及び狭範囲な拡大ＭＩＰ画像データや各種のＭＰＲ画像データを生成する画像データ生成部８と、前記累積ＳＵＶ比率に基づいて作成した所定形式のＳＵＶグラフや画像データ生成部８において生成されたＭＩＰ画像データ及びＭＰＲ画像データ等に基づいて表示データを生成する表示データ生成部９と、表示データ生成部９において生成された表示データを表示する表示部１０を備え、更に、画像データ生成条件や表示データ生成条件の設定等を行なう入力部１３ａと、上述の各ユニットを統括的に制御するシステム制御部１４ａを備えている。
【００７０】
特に、図１０の入力部１３aは、キーボード、選択スイッチ、マウス等の入力デバイスや表示パネルを備え、表示部１０と組み合わせて用いることによりインタラクティブなインターフェースを形成している。そして、被検体情報の入力、投与薬剤情報の入力、ＭＩＰ画像データ生成条件、ＭＰＲ画像データ生成条件及び表示データ生成条件の設定、表示データ表示条件の設定、ＳＵＶグラフを用いた関心領域の選択、閾値αの設定、グラフ形式の選択、各種指示信号の入力等が上述の表示パネルや入力デバイスを用いて行なわれる。
【００７１】
一方、システム制御部１４ａは、図示しないＣＰＵと記憶回路を備え、入力部１３ａから供給される上述の入力情報、選択情報及び設定情報は、記憶回路に保存される。そして、ＣＰＵは、記憶回路から読み出したこれらの情報に基づいて画像情報表示装置２００に備えられた各ユニットを統括的に制御し、ＳＵＶデータ、ＭＩＰ画像データ及びＭＰＲ画像データの生成、ＳＵＶデータに基づくＳＵＶグラフの作成、ＭＩＰ画像データ、ＭＰＲ画像データ及びＳＵＶグラフに基づく表示データの生成等を実行させる。
【００７２】
尚、本実施形態における表示データの生成／表示手順は、図９に示した第１の実施形態における表示データの生成／表示手順と同様であるため説明は省略する。
【００７３】
以上述べた第１の実施形態及び第２の実施形態によれば、被検体から収集された画像情報のＳＵＶ値をグラフ表示することにより疾患領域の有無やその状態を効率よく観察することができる。このため、当該被検体に対する診断精度と診断効率は大幅に向上し操作者の負担は軽減される。
【００７４】
特に、被検体に対するＰＥＴ撮影によって得られたＳＵＶデータのＳＵＶ値と所定の閾値とを比較することにより疾患領域あるいは疾患が疑われる領域を関心領域として自動的に設定することができる。又、この関心領域に囲まれたＳＵＶデータのボクセル値（ＳＵＶ値）を累積加算することにより各々の関心領域における累積ＳＵＶ比率を算出し、この累積ＳＵＶ比率に基づいてＳＵＶグラフを作成することにより疾患領域等の状態を正確に把握することができる。
【００７５】
又、当該被検体のボリュームデータに基づいて作成された上述のＳＵＶグラフと予め収集あるいは作成された参照ＳＵＶグラフとを比較することにより、注意すべき疾患領域の判定や治療前及び治療後の状態比較を容易に行なうことができる。
【００７６】
更に、疾患領域あるいは疾患が疑われる領域を有する関心領域に対応したＳＵＶグラフのグラフ領域を選択することにより、前記関心領域を中心とした狭範囲な拡大ＭＩＰ画像データを短時間かつ容易に得ることができる。このため、特に小さな疾患領域や重なり合った疾患領域に対する見落としを防止することができる。特に、選択されていない関心領域のＳＵＶデータを削除し、選択された前記関心領域のＳＵＶデータのみを用いて拡大ＭＩＰ画像データを生成することにより、他の関心領域の影響を受けない良好な拡大ＭＩＰ画像データを得ることが可能となる。
【００７７】
又、第１の表示データにおいて広範囲なＭＩＰ画像データに示された関心領域とＳＵＶグラフに示された前記関心領域に対応するグラフ領域を同一の色調や輝度等を用いて表示することにより、前記関心領域とＳＵＶグラフとの対応付けを容易に行なうことができる。
【００７８】
一方、上述の第２の実施形態によれば、別途設置された医用画像診断装置からネットワーク等を介して予め供給された被検体のボリュームデータに基づいてＭＩＰ画像データやＭＰＲ画像データの生成、ＳＵＶグラフの生成、これらのデータに基づく表示データの生成等を行なうことができるため、画像情報表示装置の操作者は、時間や場所の制約をあまり受けることなく当該被検体の診断に有効な画像情報を容易に得ることができる。
【００７９】
以上、本開示の第１の実施形態及び第２の実施形態について述べてきたが、本開示は、上述の実施形態に限定されるものではなく、変形して実施することが可能である。例えば、上述の第１の実施形態では、ＰＥＴ撮影によってボリュームデータを収集する画像情報収集部を備えた医用画像診断装置１００について述べたが、ＳＰＥＣＴ撮影によってボリュームデータの収集を可能とする画像情報収集部を備えた医用画像診断装置であってもよく、又、ＰＥＴ撮影あるいはＳＰＥＣＴ撮影が可能な上述の画像情報収集部とＭＲＩ撮影あるいはＸ線ＣＴ撮影が可能な画像情報収集部とを備えた医用画像診断装置であっても構わない。
【００８０】
又、上述の第１の実施形態及び第２の実施形態におけるＳＵＶグラフ作成部９１は、累積ＳＵＶ比率に基づいた円グラフをＳＵＶグラフとして生成する場合について述べたが、棒グラフ等の他の形式によるＳＵＶグラフを生成してもよい。
【００８１】
更に、狭範囲な拡大ＭＩＰ画像データを各種ＭＰＲ画像データや広範囲なＭＩＰ画像データ、更には、ＳＵＶグラフ等と共に表示する場合について述べたが、これに限定されるものではなく、例えば、選択された関心領域における拡大ＭＩＰ画像データとＭＰＲ画像データを比較表示してもよく、拡大ＭＩＰ画像データのみを独立させて表示してもよい。又、拡大ＭＩＰ画像データあるいはＭＰＲ画像データの替わりに３次元のＳＵＶデータをレンダリング処理して得られる３次元画像データを表示しても構わない。
【００８２】
又、上述の第１の実施形態及び第２の実施形態では、被検体１５０の正面方向あるいは側面方向に対して垂直な投影面へＳＵＶデータを投影することにより広範囲なＭＩＰ画像データや狭範囲な拡大ＭＩＰ画像データを生成する場合について述べたが、ＳＵＶデータの投影方向は任意に設定してもよい。
【００８３】
更に、画像情報収集部３において生成されたボリュームデータを処理して得られる３次元のＳＵＶデータに基づいてＳＵＶグラフの作成やＭＩＰ画像データ及びＭＰＲ画像データの生成を行なう場合について述べたが、上述のボリュームデータを直接用いてＳＵＶグラフの作成やＭＩＰ画像データ及びＭＰＲ画像データの生成を行なっても構わない。
【００８４】
尚、本実施形態に係る医用画像診断装置１００あるいは画像情報表示装置２００に含まれる各ユニットは、例えば、ＣＰＵ、ＲＡＭ、磁気記憶装置、入力装置、表示装置等で構成されるコンピュータをハードウェアとして用いることでも実現することができる。例えば、医用画像診断装置１００を制御するシステム制御部１４あるいは画像情報表示装置２００を制御するシステム制御部１４ａは、上記のコンピュータに搭載されたＣＰＵ等のプロセッサに所定の制御プログラムを実行させることにより各種機能を実現することができる。この場合、上述の制御プログラムをコンピュータに予めインストールしてもよく、又、コンピュータ読み取りが可能な記憶媒体への保存あるいはネットワークを介して配布された制御プログラムのコンピュータへのインストールであっても構わない。
【００８５】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形例は、発明の範囲や要旨に含まれるとともに、特許請求の範囲に記載された発明とその均等の範囲に含まれる。
【符号の説明】
【００８６】
３…画像情報収集部
３１…検出器モジュール
３２…検出データ処理部
３３…ボリュームデータ生成部
４…ボリュームデータ記憶部
５…ＳＵＶデータ生成部
６…関心領域設定部
７…累積加算処理部
８…画像データ生成部
８１…ＭＩＰ画像データ生成部
８２…ＭＰＲ画像データ生成部
９…表示データ生成部
９１…ＳＵＶグラフ作成部
９２…参照ＳＵＶグラフ保管部
９３…データ合成部
１０…表示部
１１…天板
１２…移動機構部
１３、１３ａ…入力部
１４、１４ａ…システム制御部
２０…ボリュームデータ保管部
１００…医用画像診断装置
２００…画像情報表示装置
【図１】
0006026089.tif 000002
【図２】
0006026089.tif 000003
【図３】
0006026089.tif 000004
【図４】
0006026089.tif 000005
【図５】
0006026089.tif 000006
【図６】
0006026089.tif 000007
【図７】
0006026089.tif 000008
【図８】
0006026089.tif 000009
【図９】
0006026089.tif 000010
【図１０】
0006026089.tif 000011